(57)【要約】      （修正有）【課題】ドアミラー格納後にも運転席から無理なく後方確認が可能となる補助ミラーを提供する。また、ドアミラー製造時に従来使用時に後方確認するミラーと格納時に後方確認するミラーを予め一体型で製造する【解決手段】自動車の電動格納式ドアミラーにおいて、ドアミラー格納時に格納されたドアミラー１の鏡面及び車体とほぼ垂直の角度に鏡面２を持つことを特徴とする自動車用補助ミラー。【選択図】図２
0003129361.tif 000002
【実用新案登録請求の範囲】
【請求項１】
自動車の電動格納式ドアミラーにおいて、ミラー格納時にも後方確認を容易にすることを特徴とする補助ミラー。
【請求項２】
前記補助ミラーは、方形または円形の鏡面をもつミラーで、ドアミラー先端部の格納位置にある時に後方確認ができる位置に取り付けることを特徴とする請求項１の補助ミラー。
【請求項３】
前記補助ミラーは、従来型のドアミラーに両面テープ等の接着具によって取り付けが容易に行え、なおかつドアミラー幅より小さいことを特徴とする請求項２記載の補助ミラー。
【請求項４】
ドアミラー製造時において、あらかじめ通常使用するドアミラーとは異なる角度の補助ミラーを一体型で作成し、なおかつ格納位置にある時に後方確認する角度を微調整できることを特徴とする請求項１記載の補助ミラー。
【考案の詳細な説明】
【技術分野】
【０００１】  この考案は、自動車のドアミラーの形状に関する。
【背景技術】
【０００２】  従来の電動格納式ドアミラー形状は、図７、図８、図９に示すように格納した時にミラー部分が車体方向に対面して格納される。
【考案の開示】
【考案が解決しようとする課題】
【０００３】しかしながら、以上の技術によれば、格納後の降車時にドアミラーによる後方確認が出来ないため、無理に体を後方に捻るか、視界の限られたルームミラーによって確認するしかなかった。
そこで、この考案は、ドアミラー格納後にも運転席から無理なく後方確認が可能となる補助ミラーを提供することを課題とする。
【課題を解決するための手段】
【０００４】  以上の課題を解決するために、第一考案は、従来のドアミラーに格納時に後方確認可能なミラーを取り付けることを特徴とする補助ミラーである。
また、第二考案は、ドアミラー製造時に従来使用時に後方確認するミラーと格納時に後方確認するミラーを予め一体型で製造する事を特徴とする補助ミラーである。
【考案の効果】
【０００５】  第一考案、第二考案によれば、ドアミラー格納時に後方確認のための補助ミラーを設けたので、降車時に後方確認が容易にできる。
【考案を実施するための最良の形態】
【０００６】  この考案の一実施形態を、図１・図２・図３に示す。図１は本実施形態の補助ミラーを取付けた通常使用時のドアミラーを運転席側から見た正面図、図２は本実施形態の補助ミラーを取付けた格納時のドアミラーを運転席側から見た正面図、図３は本実施形態の補助ミラーを取付けた格納時のドアミラーを上方から見た図である。【０００７】  図１、図２、図３に示すように、本実施の形態の補助ミラー２は、ドアミラー１に後から両面テープのような接着具によって貼り付ける。【０００８】  この接着方法により、図２に示す格納時において、補助ミラー２による確実な後方確認が出来るような位置の微調整が行え、さらに鏡面の角度の調整可能な補助ミラー２を選択することにより、より確実な後方視野を確保することができる。
【実施形態の効果】
【０００９】  この実施形態によれば、既存のドアミラー１に容易に補助ミラー２を取付けることが出来るため、全電動格納式ドアミラーに安価に取付けられる。また、位置及び角度の微調整により、利用者の体格による視野の違いにも対応可能となる。
【他の実施形態】
【００１０】  前述の実施形態の他に図４、図５、図６に示す実施形態では、ドアミラー製造時に角度の違った一体型補助ミラーを取付ける。図４は一体式ドアミラーを通常使用時に運転席側から見た正面図、図５は一体式ドアミラーを格納時に運転席側から見た正面図、図６は一体式ドアミラーを格納時に上方からみた図である。
【００１１】  図４、図５、図６に示すように、本実施形態の補助ミラー２は、従来のミラー面３に対し角度を変えられるように独自稼動が可能なものとし、ドアミラー本体１に一体として取付けられている。
【実施形態の効果】
【００１２】  本実施形態によれば、補助ミラー２がドアミラー１と一体であるから、強度的にも空力的にも前述実施形態よりも優れている。
【００１３】  本考案の本実施形態は、前述した実施の形態に限定されるのもではなく、角形の補助ミラーや楕円形の補助ミラーなどの形状によるものや、または取付け位置や固定方法など種々の改変が可能であり、それらも本考案の技術範囲に含まれる。
【図面の簡単な説明】
【００１４】
【図１】本考案の取付け式補助ミラーを通常走行時運転席から見た正面図
【図２】本考案の取付け式補助ミラーを格納時運転席から見た正面図
【図３】本考案の取付け式補助ミラーを格納時上方から見た図
【図４】本考案の一体式補助ミラーを通常走行時運転席から見た正面図
【図５】本考案の一体式補助ミラーを格納時運転席から見た正面図
【図６】本考案の一体式補助ミラーを格納時上方から見た図
【図７】従来型ドアミラーを通常走行時運転席から見た正面図
【図８】従来型ドアミラーを格納時運転席から見た正面図
【図９】従来型ドアミラーを格納時上方から見た図
【符号の説明】
【００１５】１  ドアミラー本体    ２  補助ミラー    ３  従来のミラー面
【図１】
0003129361.tif 000003
【図２】
0003129361.tif 000004
【図３】
0003129361.tif 000005
【図４】
0003129361.tif 000006
【図５】
0003129361.tif 000007
【図６】
0003129361.tif 000008
【図７】
0003129361.tif 000009
【図８】
0003129361.tif 000010
【図９】
0003129361.tif 000011
【手続補正書】
【提出日】平成18年8月29日(2006.8.29)
【手続補正１】
【補正対象書類名】実用新案登録請求の範囲
【補正対象項目名】全文
【補正方法】変更
【補正の内容】
【実用新案登録請求の範囲】
【請求項１】
自動車の電動格納式ドアミラーにおいて、ドアミラーの鏡面以外の角度を映し出す構造を有する補助ミラー。
【請求項２】
前記補助ミラーは、方形または円形の鏡面をもつ形状で、ドアミラー先端部の高さより小さく、ドアミラー先端部の厚みより小さい形状を持つ請求項１の補助ミラー。
【請求項３】
前記補助ミラーは、ドアミラー先端部に両面テープ等の接着具によって取り付けが容易に行える形状を有する請求項２記載の補助ミラー。
【請求項４】
前記補助ミラーは、あらかじめドアミラーとは異なる角度に一体型で作成し、なおかつ格納位置にある時に可視角度を微調整できる構造を有する請求項１記載の補助ミラー。
【手続補正書】
【提出日】平成18年11月1日(2006.11.1)
【手続補正１】
【補正対象書類名】実用新案登録請求の範囲
【補正対象項目名】全文
【補正方法】変更
【補正の内容】
【実用新案登録請求の範囲】
【請求項１】
自動車の電動格納式ドアミラーにおいて、ドアミラー格納時に格納されたドアミラーの鏡面及び車体とほぼ垂直の角度に鏡面を持つことを特徴とする自動車用補助ミラー。
【請求項２】
前記自動車用補助ミラーは、方形または円形の鏡面をもつ形状で、ドアミラー先端部の高さより小さく、ドアミラー先端部の厚みより小さい形状を持つ請求項１の自動車用補助ミラー。
【請求項３】
前記自動車用補助ミラーは、ドアミラー先端部に両面テープ等の接着具によって取り付けが容易に行える形状を有する請求項２記載の自動車用補助ミラー。
【請求項４】
前記自動車用補助ミラーは、ドアミラー格納時に格納されたドアミラーの鏡面と垂直になる角度に一体型で鏡面を作成し、なおかつ格納位置にある時に後方確認の為の可視角度を微調整できる構造を有する請求項１記載の自動車用補助ミラー。